(57)【特許請求の範囲】
【請求項１】
表示デバイスにおける表示面側の面である表示筐体正面、及び、前記表示筐体正面に対向した裏面であり、かつ、当該裏面が前記表示デバイスの長手方向に延びた稜線を持つ山状に湾曲した曲面に形成された表示筐体裏面、を具備して、前記表示デバイスを収納する電子機器の表示筐体と、
一方の面に入力デバイスが露出して設けられた操作面を有する操作筐体、前記操作筐体に対して前記表示筐体を回動自在に支持するヒンジユニット、及び、前記操作面に設けられて、前記表示筐体を前記操作筐体に向けて閉じた際に前記表示筐体と面接触するパッドと、を備え、
前記パッドが、前記表示筐体裏面と面接触する曲面凹部又は矩形凹部と、前記表示筐体正面と面接触する平坦部と、を備えることを特徴とする携帯端末。
【請求項２】
請求項１に記載の携帯端末であって、
前記稜線が、直線状に形成されていることを特徴とする携帯端末。
【請求項３】
請求項１又は２に記載の携帯端末であって、
前記パッドが、所定距離離れて配置された２つのパッド部材により形成されていることを特徴とする携帯端末。
【請求項４】
請求項１乃至３のいずれか１項に記載の携帯端末であって、
前記パッドが、弾性部材であることを特徴とする携帯端末。
【請求項５】
請求項１乃至４のいずれか１項に記載の携帯端末であって、
前記ヒンジユニットの中心位置と前記表示筐体の厚みの中心位置とが、略一致した位置であることを特徴とする携帯端末。
【請求項６】
請求項１乃至５のいずれか１項に記載の携帯端末であって、
前記ヒンジユニットから離れるに従い前記表示筐体の厚みを薄くしたことを特徴とする携帯端末。
【発明の詳細な説明】
【技術分野】
【０００１】
本発明は、表示デバイスを収納した表示筐体及びそれを用いた携帯端末に関する。
【背景技術】
【０００２】
近年の携帯電話等の携帯端末は、薄型軽量が求められていると共に、機能性に富んだ製品が求められている。例えば、特開２００７−２０８１４９号公報には、第１の筐体と、前面側に表示装置を備える第２の筐体と、互いにねじれの位置の関係にある２つの回転軸を有する２軸ヒンジとを備えた携帯型電子機器が開示されている。
【０００３】
一方、携帯端末には意匠性に富んだ製品も望まれている。例えば、折り畳み式の携帯端末においては、表示装置が設けられる筐体（以下、表示筐体という）における一方の表面は平面形状に形成され、他方の面を湾曲させて意匠性を高めたものもある。
【先行技術文献】
【特許文献】
【０００４】
【特許文献１】特開２００７−２０８１４９号公報
【発明の概要】
【発明が解決しようとする課題】
【０００５】
しかしながら、表示筐体の表面が湾曲している携帯端末を閉じた場合には、図１１（ａ）、（ｂ）に示すように、閉じ方により表示筐体１０１と操作筐体１０３との間のクリアランスに違いが生じて、表示装置１０２の表示面等に傷が付きやすい問題があった。
【０００６】
なお、図１１（ａ）は、表示装置１０２を操作筐体１０３側に向けて表示筐体１０１を閉じた場合（以下、内向状態と記載する）の携帯端末１００の側面図を示している。また図１１（ｂ）は、操作筐体１０３を背にして表示筐体１０１を閉じた場合（以下、外向状態と記載する）の携帯端末１００の側面図を示している。
【０００７】
図１１（ａ）、（ｂ）に示す携帯端末１００では、表示装置が面して設けられている表示筐体の面１０４と対向した裏面１０５が湾曲して設けられている。このように裏面１０５が湾曲した形状であるため、この裏面１０５を操作筐体１０３に向けて閉じたときのクリアランスは、面１０４を操作筐体１０３に向けて閉じたときのクリアランスより小さくなる。
【０００８】
このように面を湾曲させることは、意匠性を高めるためであるが、携帯端末１００における小型軽量化の要請に従い表示筐体１０１の厚みも薄くなっているため、表示筐体１０１に外力が加わると、この表示筐体１０１が容易に変形して、表示装置１０２の表示面等が傷付く。
【０００９】
そこで、本発明の主目的は、薄型軽量化の要請や高い意匠性の要求を満たしながら、表示筐体の変形が起き難い表示デバイスを収納した表示筐体及びそれを用いた携帯端末を提供することである。
【課題を解決するための手段】
【００１０】
上記課題を解決するため、表示デバイスを収納した表示筐体は、表示デバイスの表示面と同一面をなす表示側面と、表示側面に対向した裏面であり、かつ、裏面が表示デバイスの長手方向に延びた稜線を持つ山状に湾曲して曲面に形成された表示側裏面と、を備える。
【００１１】
また、携帯端末は、表示デバイスを収納した上記表示筐体と、一方の面に入力デバイスが露出して設けられた操作面を有する操作筐体と、操作筐体に対して表示筐体を回動自在に支持するヒンジユニットと、操作面に設けられて、表示筐体を操作筐体に向けて閉じた際に表示筐体と面接触するパッドと、を備え、パッドが、表示筐体裏面と面接触する曲面凹部又は矩形凹部と、表示筐体正面と面接触する平坦部と、を備えることを特徴とする。
【発明の効果】
【００１２】
本発明によれば、薄型軽量化の要請や高い意匠性の要求を満たしながら、表示筐体の変形が起き難い電子機器の表示筐体及びそれを用いた携帯端末を提供することできる。
【図面の簡単な説明】
【００１３】
【図１】本発明の第１の実施形態にかかる電子機器の表示筐体の斜視図である。
【図２】本発明の第２の実施形態にかかる閉じた状態の携帯端末の斜視図である。
【図３】第２の実施形態にかかる開いた状態の携帯端末の斜視図である。
【図４】第２の実施形態にかかる表示筐体を回転させている際の携帯端末の斜視図である。
【図５】第２の実施形態にかかる携帯端末の側面図で、（ａ）は表示筐体が表示内向状態の場合、（ｂ）は表示筐体が表示外向状態の場合を示す。
【図６】第２の実施形態にかかる表示筐体が表示外向状態の携帯端末の斜視図である。
【図７】第２の実施形態にかかる表示筐体の湾曲が変化する携帯端末の斜視図である。
【図８】第２の実施形態にかかる表示筐体に外力が加わった際の力の分散を説明する図で、（ａ）は表示筐体が表示内向状態の場合、（ｂ）は表示筐体が表示外向状態の場合を示す。
【図９】関連技術における平坦面なパッドに湾曲した表示筐体が当接した際の表示筐体の安定性を説明する図である。
【図１０】本発明の第３の実施形態にかかるパッドの斜視図で、（ａ）は矩形凹部を備えたパッド、（ｂ）は２つのパッド部材からなるパッドである。
【図１１】関連技術にかかる湾曲した表示側裏面を持つ携帯端末の側面図で、（ａ）は表示デバイスが表示内向状態の場合、（ｂ）は表示デバイスが表示外向状態の場合の図である。
【発明を実施するための形態】
【００１４】
＜第１の実施形態＞
本発明の第１の実施形態を説明する。図１は、本実施形態にかかる表示デバイスを収納する電子機器の表示筐体の斜視図である。表示筐体２は、表示デバイス３の表示面と同一面をなす表示筐体正面４と、表示筐体正面４に対向した裏面であり、かつ、裏面が表示デバイス３の長手方向に延びた稜線Ｋを持つ山状に湾曲して形成された表示筐体裏面５と、を備える。
【００１５】
従って、外力が表示筐体裏面５に加わっても、外力が稜線位置で左右に分散して伝達されるようになる。よって、強度を向上させることが可能になる。このことは、表示筐体の意匠性を向上させるために表示筐体裏面５を湾曲させても、強度の低下を抑制した表示筐体が提供できることを示している。
【００１６】
＜第２の実施形態＞
次に、本発明の第２の実施形態を、図を参照して説明する。図２は、本実施形態にかかる電子機器の一例としての携帯端末１０Ａの斜視図である。また、図３は、この携帯端末１０Ａを開いたときの斜視図である。
【００１７】
携帯端末１０Ａは、表示筐体１１と操作筐体１２とを備え、これら表示筐体１１と操作筐体１２がヒンジユニット１３により回動自在に連結されている。
【００１８】
操作筐体１２の内部には、各種の情報の送受信等に必要な図示しない電子回路等が配置されると共に、各種の情報入力に用いられるテンキー等の入力デバイス１４がその１つの面に設けられている。以下、この入力デバイス１４が配置されている側の面を操作面１６と記載する。
【００１９】
表示筐体１１の少なくとも１つの面には、各種の情報を表示するための液晶表示デバイス等の表示デバイス１８が設けられている。以下、表示デバイス１８における情報表示する面を表示筐体正面１９と記載し、表示筐体正面１９に対しての裏側の面を表示筐体裏面２０と記載する。
【００２０】
なお、操作筐体１２における操作面１６の先端部（ヒンジユニット１３から最も遠い端部領域）には、パッド２２が設けられている。このパッド２２は、樹脂やゴム等の部材から形成されて、携帯端末１０Ａを閉状態にしたときに、表示筐体１１がパッド２２に当接することにより、表示筐体正面１９と操作面１６、又は表示筐体裏面２０と操作面１６の間に所定のクリアランスを確保するために設けられている。パッド２２は、表示筐体裏面２０と面接触するように湾曲して設けられた曲面凹部２２ａと、平坦部２２ｂとを備えている。
【００２１】
ヒンジユニット１３は、表示筐体１１と操作筐体１２とを、以下のように２軸で回動自在に連結している。即ち、表示筐体１１の長手方向に延びる軸線（以下、Ｘ軸線と記載する）と、このＸ軸線に垂直で、操作面１６に沿った軸線（以下、Ｙ軸線と記載する）の２つの回動軸を持つ２軸ヒンジ機構を持つ。
【００２２】
なお、２軸のヒンジユニットは、１軸毎のヒンジを組み合わせて構成しても良く、また一体に形成されたヒンジ機構であっても良い。
【００２３】
そして、表示筐体１１がＹ軸線の回りに回転することにより、携帯端末１０Ａの開閉が行われる。即ち、表示筐体１１を操作筐体１２から離すように開いた状態（開状態）と、表示筐体１１を操作筐体１２に近接させて閉じた状態（閉状態）にすることができる。図２は閉状態における携帯端末１０Ａの斜視図であり、図３は開状態における携帯端末１０Ａの斜視図である。
【００２４】
また、図４に示すように、表示筐体１１をＸ軸線の回りに回転させることにより、閉状態にしたときに表示筐体正面１９が操作面１６に近接する状態（表示内向状態）と、表示筐体裏面２０が操作面１６に近接する状態（表示外向状態）にすることができる。図５（ａ）は、表示内向状態、（ｂ）は表示外向状態における携帯端末１０Ａの側面図である。なお、図６は、表示外向状態における携帯端末１０Ａの斜視図である。
【００２５】
図２等に示すように、表示筐体１１の厚みは、ヒンジユニット１３から離れるに従い薄くなっている。また、表示筐体裏面２０は、表示筐体１１の長手方向に延びた線を稜線Ｋとする山状に湾曲している。なお、この稜線Ｋは直線が好ましいが、例えばＳ字状等であっても良い。
【００２６】
このように表示筐体裏面２０を曲面で形成するか否かは、主に携帯端末１０Ａの意匠性の観点から決められる事項である。従って、表示筐体１１の厚みが一様な携帯端末１０Ａであっても良い。また、図２等においては、表示筐体１１の先端側からヒンジユニット１３側まで一様に湾曲している場合を示しているが、図７に示すように、表示筐体１１の先端側で最も大きく湾曲し、ヒンジユニット１３に近づくに従って平坦になる形状であっても良い。
【００２７】
なお、このヒンジユニット１３の中心位置（Ｘ軸線位置に対応）と表示筐体１１の厚みの中心位置とは略同じ位置に形成されている。これは上述したように表示筐体１１を山状に湾曲させたことにより、意匠性を確保しながら表示筐体１１の厚みを厚くすることができたためである。このような構成により、ヒンジユニット１３の出っ張りを抑制することができ、この意味からも意匠性の向上に寄与することが可能になっている。
【００２８】
本実施形態では、このような意匠性が形成された場合であっても、表示筐体１１の強度低下を抑制すると共に、表示筐体正面１９又は表示筐体裏面２０と操作面１６とのクリアランスを適正に保つことができるようにする。
【００２９】
このような意匠性に富む携帯端末１０Ａを閉状態にしたとき、その状態が図５（ａ）に示す表示内向状態であるか、図５（ｂ）に示す表示外向状態であるかにより、表示筐体正面１９又は表示筐体裏面２０と操作面１６とのクリアランスが変動する。
【００３０】
外力が表示筐体１１に加わると、表示筐体１１が変形して表示筐体裏面２０が入力デバイス１４に接触することがある。従って、クリアランスを適正に確保する必要があると共に、表示筐体１１の強度を向上させ又は意匠性を高めることによる強度の低下を抑制する必要が生じる。
【００３１】
そこで、本実施形態にかかる携帯端末１０Ａの表示筐体１１は、山状に形成されている。このように山状に湾曲した形状の場合、表示筐体１１に加わった外力は湾曲面に沿って分散するため、強度低下が抑制できる。
【００３２】
即ち、図８（ａ）に示すように表示内向状態や図８（ｂ）に示すように表示外向状態の場合に、表示筐体１１に加わった外力Ｆは、表示筐体裏面２０に沿って分散するようになる。また、表示筐体１１における稜線Ｋは、図２等に示したように、表示筐体１１の長手方向に沿って設けられている。稜線Ｋに沿った表示筐体１１の厚みは、意匠を施す前の厚みと略同じ厚みであるため、外力は、この稜線領域で殆どが吸収されるようになり、強度の低下を抑制することができる。
【００３３】
本実施形態では、パッド２２を曲面凹部２２ａと平坦部２２ｂにより構成している。これは図９に示すように、湾曲した表示筐体裏面２０が平坦面のパッド２３に当接すると、表示筐体裏面２０とパッド２３との接触が点接触となることによる表示筐体１１の不安定状態を防止するためである。即ち、表示裏面とパッドとが点接触状態であると、図９のおける矢印Ｒの方向に表示筐体１１が動いてしまう不都合が生じる。
【００３４】
しかし、本実施形態にかかるパッド２２の曲面凹部２２ａは表示筐体裏面２０の形状と同じ形成されているため、表示筐体裏面２０はパッド２２と面接触する。従って、従って、Ｘ軸線に沿う表示筐体１１の動きが規制されて、表示筐体１１の安定性が向上する。
【００３５】
なお、上述した外力は、表示筐体からパッドを介して操作筐体に伝わる。このとき、表示筐体がパッドと点接触すると、分散した外力は点接触領域の近傍で集中して操作筐体に伝達されることになる。従って、表示筐体の強度低下は十分に抑制できなくなる。これに対して、表示筐体がパッドと面接触する構成では、分散した外力の集中が起こりにくいので、表示筐体の強度低下を十分に抑制できる。
【００３６】
＜第３の実施形態＞
次に、発明の第３の実施形態を説明する。先に説明したパッドは、曲面状の曲面凹部と平坦部により形成されていた。しかし、本発明は、このような構成に限定されない。例えば、図１０に示すような構成であっても良い。図１０（ａ）に示すパッド２５は、矩形凹部２５ａと平坦部２５ｂにより形成されている。また、図１０（ｂ）に示すパッド２６は、高さの等しい２つのパッド部材２６ａを所定の距離離して並設したものである。
【００３７】
何れのパッド２５，２６においても、少なくとも２点以上で表示面や表示裏面と接触するため、表示筐体の安定性を確保することができる。また、パッド２５，２６は曲面を持たないため安価に製造できる利点がある。
【符号の説明】
【００３８】
２，１１  表示筐体
３，１８  表示デバイス
４，１９  表示筐体正面
５，２０  表示筐体裏面
１０Ａ  携帯端末
１２  操作筐体
１３  ヒンジユニット
１４  入力デバイス
１６  操作面
２２，２３，２５，２６  パッド
２２ａ  曲面凹部
２２ｂ，２５ｂ  平坦部
２５，２６  パッド
２５ａ  矩形凹部
２６ａ  パッド部材
【図１】
0005610553.tif 000002
【図２】
0005610553.tif 000003
【図３】
0005610553.tif 000004
【図４】
0005610553.tif 000005
【図５】
0005610553.tif 000006
【図６】
0005610553.tif 000007
【図７】
0005610553.tif 000008
【図８】
0005610553.tif 000009
【図９】
0005610553.tif 000010
【図１０】
0005610553.tif 000011
【図１１】
0005610553.tif 000012